(57)【要約】【課題】  竪樋の成形作業や改装作業が容易にできるようにする。また、竪樋の見栄えを向上させる。【解決手段】  建物本体２の外面３，４に沿ってほぼ鉛直方向に延びる竪樋１１を設ける。竪樋１１は、建物本体２側に取り付けられる竪長の基材１３と、この基材１３とは別体に設けられてこの基材１３の外面を覆うと共に、この基材１３に取り付けられる竪長の化粧カバー１５とを備える。基材１３と化粧カバー１５との間の空間２６に排水通路２７を形成する。【選択図】  図１
2006097268.tif 000002
【特許請求の範囲】
【請求項１】
建物本体の外面に沿ってほぼ鉛直方向に延びる竪樋であって、
上記建物本体側に取り付けられる竪長の基材と、この基材とは別体に設けられてこの基材の外面を覆うと共に、この基材に取り付けられる竪長の化粧カバーとを備え、上記基材と化粧カバーとの間の空間に排水通路を形成したことを特徴とする竪樋。
【請求項２】
上記空間のほぼ全体を排水通路としたことを特徴とする請求項１に記載の竪樋。
【請求項３】
上記基材の幅方向の端縁部を上記建物本体側に取り付け、上記基材の端縁部の外面を建物の外壁材の幅方向の端縁部で覆い、上記基材の幅方向の中途部に上記化粧カバーを取り付けたことを特徴とする請求項１、もしくは２に記載の竪樋。
【請求項４】
上記化粧カバーが、その幅方向の中途部を構成して平面断面視で円弧形状をなす化粧カバー本体と、この化粧カバー本体の幅方向の端縁部に一体的に形成されて、上記基材に取り付けられるフランジとを備えたことを特徴とする請求項１から３のうちいずれか１つに記載の竪樋。
【請求項５】
上記空間に嵌入されてその内部が上記排水通路とされる竪長の排水管と、この排水管を上記基材に支持させる支持具とを備えたことを特徴とする請求項１から４のうちいずれか１つに記載の竪樋。
【発明の詳細な説明】
【技術分野】
【０００１】
本発明は、建物本体の外面に沿って延び、軒樋等の建物の上部で集められた雨水を建物基礎の排水路側に案内する竪樋に関するものである。
【背景技術】
【０００２】
建物における竪樋には、従来、下記特許文献１に示されるものがある。この公報のものによれば、上記竪樋は、建物本体の外面に沿い竪方向に延びてこの建物本体側にビスにより取り付けられる竪長のカバーと、このカバー内に設けられる縦長の排水管とを備えている。上記カバーは上記竪樋１１の外面を全体的に構成し、かつ、一体的に形成されている。また、平面断面視で、外方に突出した上記カバーの部分の内面に、上記排水管がリベットにより取り付けられている。
【０００３】
【特許文献１】特開２００３−２３９４７５号公報
【発明の開示】
【発明が解決しようとする課題】
【０００４】
ところで、上記したように竪樋のカバーは、竪樋の外面を全体的に構成し、かつ、一体的に形成されたものである。このため、第１に、上記竪樋の外観上の形状を、ある好みの形状にしようとすると、その都度、上記竪樋のカバーを全体的に形成する必要があり、よって、竪樋の成形作業が煩雑である。
【０００５】
また、第２に、上記竪樋のカバーが汚損や損傷したとき、これを新しいものと交換しようとする場合には、上記竪樋のカバーを全体的に交換する必要があって、その改装作業が煩雑である。
【０００６】
一方、上記したように、カバーの内面に排水管がリベットにより取り付けられていて、このリベットは外観上容易に見えるため、このリベットにより、上記竪樋の見栄えが阻害されるおそれもある。
【課題を解決するための手段】
【０００７】
本発明は、上記のような事情に注目してなされたもので、本発明の目的は、竪樋の成形作業や改装作業が容易にできるようにすることである。
【０００８】
また、本発明の他の目的は、上記竪樋の見栄えを向上させることである。
【０００９】
請求項１の発明は、全図に例示するように、建物本体２の外面３，４に沿ってほぼ鉛直方向に延びる竪樋１１であって、
上記建物本体２側に取り付けられる竪長の基材１３と、この基材１３とは別体に設けられてこの基材１３の外面を覆うと共に、この基材１３に取り付けられる竪長の化粧カバー１５とを備え、上記基材１３と化粧カバー１５との間の空間２６に排水通路２７を形成したものである。
【００１０】
請求項２の発明は、図１−３，５の一部に例示するように、請求項１の発明に加えて、上記空間２６のほぼ全体を排水通路２７としたものである。
【００１１】
請求項３の発明は、図１−４に例示するように、請求項１、もしくは２の発明に加えて、上記基材１３の幅方向の端縁部を上記建物本体２側に取り付け、上記基材１３の端縁部の外面を建物１の外壁材７，８の幅方向の端縁部で覆い、上記基材１３の幅方向の中途部に上記化粧カバー１５を取り付けたものである。
【００１２】
請求項４の発明は、全図に例示するように、請求項１から３のうちいずれか１つの発明に加えて、上記化粧カバー１５が、その幅方向の中途部を構成して平面断面視で円弧形状をなす化粧カバー本体２２と、この化粧カバー本体２２の幅方向の端縁部に一体的に形成されて、上記基材１３に取り付けられるフランジ２３とを備えたものである。
【００１３】
請求項５の発明は、図４，５に例示するように、請求項１から４のうちいずれか１つの発明に加えて、上記空間２６に嵌入されてその内部が上記排水通路２７とされる竪長の排水管３８と、この排水管３８を上記基材１３に支持させる支持具３９とを備えたものである。
【００１４】
なお、この項において、上記各用語に付記した符号は、本発明の技術的範囲を後述の「実施例」の項や図面の内容に限定解釈するものではない。
【発明の効果】
【００１５】
本発明による効果は、次の如くである。
【００１６】
請求項１の発明は、建物本体の外面に沿ってほぼ鉛直方向に延びる竪樋であって、
上記建物本体側に取り付けられる竪長の基材と、この基材とは別体に設けられてこの基材の外面を覆うと共に、この基材に取り付けられる竪長の化粧カバーとを備え、上記基材と化粧カバーとの間の空間に排水通路を形成している。
【００１７】
このため、上記竪樋の外観上の形状を、ある好みの形状にしようとするときには、上記化粧カバーの形状を好みのものとし、上記基材は、種々の形状の化粧カバーに共用させればよい。
【００１８】
よって、上記竪樋の形状を、ある好みのものにしようとするときに、その都度、この竪樋を全体的に形成していた従来の技術に比べて、上記竪樋の成形作業は容易にできる。
【００１９】
また、上記竪樋が汚損や損傷したとき、これを新しいものと交換しようとする場合には、上記基材と化粧カバーとのうち、化粧カバーの交換だけで足り、よって、竪樋の外面を全体的に構成しているカバーを全体的に交換する必要があった従来の技術に比べて、上記竪樋の改装作業は容易にできる。
【００２０】
請求項２の発明は、上記空間のほぼ全体を排水通路としている。
【００２１】
このため、上記竪樋は従来の技術のような別途の排水管を有しない分、竪樋の部品点数が少なくなって、竪樋の成形作業が、より容易となる。
【００２２】
また、上記排水管を有しない分、竪樋がより軽量となり、建物本体への組み付け作業も容易にできる。
【００２３】
請求項３の発明は、上記基材の幅方向の端縁部を上記建物本体側に取り付け、上記基材の端縁部の外面を建物の外壁材の幅方向の端縁部で覆い、上記基材の幅方向の中途部に上記化粧カバーを取り付けている。
【００２４】
ここで、上記基材は、上記化粧カバーを建物本体側に強固に支持させるためのものであるため、この建物本体側に上記基材を取り付けるための取付具は、その占める面積が、外観上大きくなりがちである。
【００２５】
そこで、上記のように、基材の幅方向の端縁部を上記建物本体側に取り付け、上記基材の端縁部の外面を建物の外壁材の幅方向の端縁部で覆ったのであり、このため、上記基材の各端縁部と取付具が、外観上、容易に見えることは上記外壁材によって防止され、竪樋の見栄えが向上する。
【００２６】
一方、上記したように、化粧カバーを上記基材の幅方向の中途部に取り付けたため、上記基材への化粧カバーの着脱作業は上記外壁材に邪魔されることなく容易にできる。よって、特に、竪樋の改装作業が容易にできる。
【００２７】
請求項４の発明は、上記化粧カバーが、その幅方向の中途部を構成して平面断面視で円弧形状をなす化粧カバー本体と、この化粧カバー本体の幅方向の端縁部に一体的に形成されて、上記基材に取り付けられるフランジとを備えている。
【００２８】
このため、上記のように円弧形状にした化粧カバー本体は剛性の高い形状となる。よって、何らかの外力により、この化粧カバー本体が容易に損傷するということは防止され、竪樋の見栄えが良好に保たれる。
【００２９】
請求項５の発明は、上記空間に嵌入されてその内部が上記排水通路とされる竪長の排水管と、この排水管を上記基材に支持させる支持具とを備えている。
【００３０】
即ち、排水管は支持具により基材に取り付けられている。このため、上記排水管の取り付けによって、上記支持具の一部が上記化粧カバーの外面側に露出するということは防止される。つまり、上記排水管を設けても、上記化粧カバーの見栄えは良好に保たれて、竪樋の見栄えが向上する。
【発明を実施するための最良の形態】
【００３１】
本発明の竪樋に関し、竪樋の成形作業や改装作業が容易にできるようにする、という目的を実現するため、本発明を実施するための最良の形態は、次の如くである。
【００３２】
即ち、建物本体の外面に沿ってほぼ鉛直方向に延びる竪樋が設けられている。この竪樋は、上記建物本体側に取り付けられる竪長の基材と、この基材とは別体に設けられてこの基材の外面を覆うと共に、この基材に取り付けられる竪長の化粧カバーとを備えている。上記基材と化粧カバーとの間の空間に排水通路が形成される。
【実施例１】
【００３３】
本発明をより詳細に説明するために、その実施例１を添付の図１−３に従って説明する。
【００３４】
図１−３において、符号１は建物で、この建物１の建物本体２の角部における各外面３，４には、それぞれ通気胴縁５，６が取り付けられている。また、上記各外面３，４をそれぞれその外方から覆う外壁材７，８が設けられ、これら各外壁材７，８は、上記胴縁５，６を介し上記建物本体２に取り付けられている。また、上記建物本体２の上部には、軒樋９が取り付けられている。
【００３５】
上記各外面３，４に沿ってほぼ鉛直方向に延びる竪樋１１が設けられている。この竪樋１１は、上記建物本体２側に取付具１２により着脱可能に取り付けられる竪長の基材１３と、この基材１３とは別体に設けられてこの基材１３の外面をほぼ全体的に覆うと共に、この基材１３に取付具１４により着脱可能に取り付けられる竪長の化粧カバー１５と、上記基材１３への化粧カバー１５の取付部をシールするシール材１６とを備えている。
【００３６】
上記基材１３は板金製で、その幅方向の中途部を構成し、建物１の外方に向けて突出するよう屈曲した基材本体１８と、上記基材１３の幅方向の各端縁部を構成し、上記基材本体１８の幅方向の各端縁部に一体的に形成される一対のフランジ１９とを備えている。
【００３７】
上記各フランジ１９が上記取付具１２である締結具（ビス）により、上記各胴縁５，６に取り付けられている。これにより、上記基材１３が上記建物本体２側に取り付けられている。上記基材１３の各フランジ１９の外面は、上記各外壁材７，８の幅方向の端縁部によってそれぞれ外方から覆われている。
【００３８】
上記化粧カバー１５は板金製で、その幅方向の中途部を構成し、建物１の外方に向けて突出するよう屈曲した化粧カバー本体２２と、上記化粧カバー１５の幅方向の各端縁部を構成し、上記化粧カバー本体２２の幅方向の各端縁部に一体的に形成される一対のフランジ２３とを備えている。上記化粧カバー１５の化粧カバー本体２２は、上記建物１の外面の一部を構成している。
【００３９】
上記化粧カバー本体２２は平面断面視（図１）で、ほぼ半円形の円弧形状をなしている。上記各フランジ２３は、上記取付具１４である締結具（ビス）により上記基材１３の基材本体１８の幅方向の各端縁部に取り付けられている。つまり、上記化粧カバー１５は、上記基材１３の幅方向の中途部に取り付けられている。上記各フランジ２３の外面を覆うと共に、上記外壁材７，８の各端縁部と化粧カバー１５との間をシールするシール材２４が設けられている。
【００４０】
上記基材１３の基材本体１８と、化粧カバー１５の化粧カバー本体２２との間の空間２６のほぼ全体が排水通路２７とされている。上記空間２６の上端開口を閉じる板金製の上蓋２８と、上記空間２６の下端開口を閉じて上記基材本体１８の下端部に溶接される下蓋２９と、上記化粧カバー１５の内面と上記下蓋２９の外縁部との間をシールするシール材３０とが設けられている。上記下蓋２９は、上記建物本体２から水平方向の外方に離れるに従い下傾するよう上記基材１３の基材本体１８に取り付けられている。
【００４１】
上記軒樋９内を上記排水通路２７に連通させる導入パイプ３３が設けられている。また、上記排水通路２７の内底部の最下部を建物本体２下の排水路３４側に連通させる導出パイプ３５が設けられている。この導出パイプ３５は、上記化粧カバー本体２２の下端部によって、その水平方向の外方から覆われている。
【００４２】
そして、雨天時には、上記軒樋９に集められた雨水３６は、上記導入パイプ３３を通って、上記排水通路２７の上部に導入される。次に、上記雨水３６は上記排水通路２７を落下や流下させられて、この排水通路２７の下部から上記導出パイプ３５を通し排水路３４に向けて導出される。
【００４３】
上記構成によれば、建物本体２側に取り付けられる竪長の基材１３と、この基材１３とは別体に設けられてこの基材１３の外面を覆うと共に、この基材１３に取り付けられる竪長の化粧カバー１５とを備え、上記基材１３と化粧カバー１５との間の空間２６に排水通路２７を形成している。
【００４４】
このため、上記竪樋１１の外観上の形状を、ある好みの形状にしようとするときには、上記化粧カバー１５の形状を好みのものとし、上記基材１３は、種々の形状の化粧カバー１５に共用させればよい。
【００４５】
よって、上記竪樋１１の形状を、ある好みのものにしようとするときに、その都度、この竪樋１１を全体的に形成していた従来の技術に比べて、上記竪樋１１の成形作業は容易にできる。
【００４６】
また、上記竪樋１１が汚損や損傷したとき、これを新しいものと交換しようとする場合には、上記基材１３と化粧カバー１５とのうち、化粧カバー１５の交換だけで足り、よって、竪樋１１の外面を全体的に構成しているカバーを全体的に交換する必要があった従来の技術に比べて、上記竪樋１１の改装作業は容易にできる。
【００４７】
また、前記したように、空間２６のほぼ全体を排水通路２７としている。
【００４８】
このため、上記竪樋１１は従来の技術のような別途の排水管を有しない分、竪樋１１の部品点数が少なくなって、竪樋１１の成形作業が、より容易となる。
【００４９】
また、上記排水管を有しない分、竪樋１１がより軽量となり、建物本体２への組み付け作業も容易にできる。
【００５０】
また、前記したように、基材１３の幅方向の端縁部を上記建物本体２側に取り付け、上記基材１３の端縁部の外面を建物１の外壁材７，８の幅方向の端縁部で覆い、上記基材１３の幅方向の中途部に上記化粧カバー１５を取り付けている。
【００５１】
ここで、上記基材１３は、上記化粧カバー１５を建物本体２側に強固に支持させるためのものであるため、この建物本体２側に上記基材１３を取り付けるための取付具１２は、その占める面積が、外観上大きくなりがちである。
【００５２】
そこで、上記のように、基材１３の幅方向の端縁部を上記建物本体２側に取り付け、上記基材１３の端縁部の外面を建物１の外壁材７，８の幅方向の端縁部で覆ったのであり、このため、上記基材１３の各端縁部と取付具１２とが、外観上、容易に見えることは上記外壁材７，８によって防止され、竪樋１１の見栄えが向上する。
【００５３】
一方、上記したように、化粧カバー１５を上記基材１３の幅方向の中途部に取り付けたため、上記基材１３への化粧カバー１５の着脱作業は上記外壁材７，８に邪魔されることなく容易にできる。よって、特に、竪樋１１の改装作業が容易にできる。
【００５４】
また、前記したように、化粧カバー１５が、その幅方向の中途部を構成して平面断面視で円弧形状をなす化粧カバー本体２２と、この化粧カバー本体２２の幅方向の端縁部に一体的に形成されて、上記基材１３に取り付けられるフランジ２３とを備えている。
【００５５】
このため、上記のように円弧形状をなした化粧カバー本体２２は剛性の高い形状となる。よって、何らかの外力により、この化粧カバー本体２２が容易に損傷するということは防止され、見栄えが良好に保たれる。
【００５６】
なお、図１中一点鎖線で示すように、上記化粧カバー１５の化粧カバー本体２２は平面断面視で多角形状であってもよい。また、図３中三点鎖線で示すように、基材１３の下端部を、少し高く位置させてもよい。
【００５７】
なお、以上は図示の例によるが、上記竪樋１１の基材１３、化粧カバー１５、上蓋２８、および下蓋２９は少なくともいずれかを樹脂製としてもよい。
【００５８】
以下の各図は、実施例２，３を示している。これら各実施例は、前記実施例１と構成、作用効果において多くの点で共通している。そこで、これら共通するものについては、図面に共通の符号を付してその重複した説明を省略し、異なる点につき主に説明する。また、これら各実施例における各部分の構成を、本発明の目的、作用効果に照らして種々組み合せてもよい。
【実施例２】
【００５９】
本発明をより詳細に説明するために、その実施例２を添付の図４に従って説明する。
【００６０】
図４において、上記竪樋１１は、上記空間２６に嵌入されてその内部が排水通路２７とされる竪長の排水管３８と、この排水管３８を上記基材１３の基材本体１８に着脱可能に支持させる支持具３９とを備えている。
【００６１】
上記排水管３８は樹脂製で、この排水管３８の上端部に上記導入パイプ３３の下流端が連通させられている。一方、上記排水管３８の下端部は、上記下蓋２９の上方近傍に位置している。上記支持具３９は、上記排水管３８に外嵌されるバンド４０と、このバンド４０を上記基材１３の基材本体１８に着脱可能に取り付ける締結具４１とを備えている。
【００６２】
上記構成によれば、排水管３８は支持具３９により基材１３に取り付けられている。このため、上記排水管３８の取り付けによって、上記支持具３９の一部が上記化粧カバー１５の外面側に露出するということは防止される。つまり、上記排水管３８を設けても、上記化粧カバー１５の見栄えは良好に保たれて、竪樋１１の見栄えが向上する。
【００６３】
なお、上記排水管３８は、平面断面が矩形の管材やダクトであってもよい。
【実施例３】
【００６４】
本発明をより詳細に説明するために、その実施例３を添付の図５に従って説明する。
【００６５】
上記建物本体２は、建物１の玄関などに設けられる柱とされている。上記基材１３と化粧カバー１５とは取付具１２により上記建物本体２に共締めされて取り付けられている。
【００６６】
なお、図例中、排水管３８と支持具３９はなくてもよい。
【図面の簡単な説明】
【００６７】
【図１】実施例１を示し、図２の１−１線矢視平面断面図である。
【図２】実施例１を示し、竪樋の全体側面図である。
【図３】実施例１を示し、図１の３−３線矢視断面図である。
【図４】実施例２を示し、図１に相当する図である。
【図５】実施例３を示し、図１に相当する図である。
【符号の説明】
【００６８】
１    建物
２    建物本体
３    外面
４    外面
５    胴縁
６    胴縁
７    外壁材
８    外壁材
１１  竪樋
１２  取付具
１３  基材
１４  取付具
１５  化粧カバー
１８  基材本体
１９  フランジ
２２  化粧カバー本体
２３  フランジ
２６  空間
２７  排水通路
３６  雨水
３８  排水管
３９  支持具
【図１】
2006097268.tif 000003
【図２】
2006097268.tif 000004
【図３】
2006097268.tif 000005
【図４】
2006097268.tif 000006
【図５】
2006097268.tif 000007